(57)【特許請求の範囲】
【請求項１】
カード用紙を複数枚、積層して保持するカード用紙保持箱と、この保持箱に保持されたカード用紙を頂部から一枚づつ送り出すピックアップローラと、該ピックアップローラによって送り出されたカード用紙を搬送する搬送ローラと、前記搬送ローラによって搬送されたカード用紙をカードの形状に裁断する裁断部とを備え、前記裁断部がカード用紙を横方向に裁断するカッターと、その後に続く縦方向に裁断するスリッターとを有し、前記スリッターが互いに逆方向に回転する上刃軸および下刃軸を備え、前記上刃軸に複数個のディスク状上刃を、前記下刃軸に複数個のディスク状下刃を、これら各軸を回転軸として所定の間隔をあけ、かつ上下刃同志が互いに対応して複数組の対を形成し、これら各対の上下刃の周縁同志が互いに摺り合うように固定し、かつ、これら複数の対のうち、互いに隣接する二個の可動刃間には先端の尖った切りくず落し片を配置してなり、これにより前記隣接する二個の可動刃間にはさまった切りくずを切りくず落し片の尖った先端で筋づけして幅狭にし、飛散せずに、静かに、下方に落下させることを特徴とするカード裁断機のスリッター機構。
【請求項２】
請求項１において、上刃軸の各上刃間に上側搬送ローラをこの上刃軸を回転軸とし、かつ下刃軸の各下刃間に下側搬送ローラをこの上刃軸を回転軸とし、それぞれ上下に対応する一対の前記ローラ面が互いに接触するように固定してなる請求項１に記載されるカード裁断機のスリッター機構。
【請求項３】
請求項１において、前記上刃軸ないしは下刃軸の駆動軸に滑りクラッチを嵌装して前記駆動軸への駆動力をこの滑りクラッチを介して伝達する請求項１に記載されるカード裁断機のスリッター機構。
【発明の詳細な説明】
【０００１】
【発明の属する技術分野】
本発明は名刺、種々の会員カード、病院等の診察カード等、各種カードを製作する際に用いられるカード裁断機のスリッター機構に係り、詳細には、卓上文書印刷機等により一シート上に複数葉のカードが印刷または印字されたカード用紙を所望のカードサイズに裁断して一葉づつ切り離してカードを製作するカード裁断機のスリッター機構に係り、特に、隣接する二個の可動刃間にはさまった切りくずを確実に落下させ、かつカッターによりカード用紙を裁断するためにカード用紙の搬送を一時停止したときでも、カード用紙へのスリッターによる擦りを起こさせないカード裁断機のスリッター機構に関する。
【０００２】
【従来の技術】
この種のカード裁断機は通常、卓上文書印刷機等により一シート状に複数葉のカードが印刷または印字されたカード用紙を複数枚積層して保持するカード用紙保持箱と、この保持箱に保持されたカード用紙を頂部から一枚づつカード裁断機に送り出すピックアップローラと、このピックアップローラによって送り出されたカード用紙を搬送する搬送ローラと、この搬送ローラによって搬送されたカード用紙をカードの形状に裁断する、スリッター、あるいはさらにカッターを含む裁断部とを備えて構成される。
【０００３】
上述カード裁断機におけるスリッターは例えば、図２に示されるように互いに逆方向に回転する上刃軸１８および下刃軸１９を備え、上刃軸１８に複数個のデイスク状上刃２０を、下刃軸１９に複数個のデイスク状下刃２１を、これら各軸１８、１９を回転軸として所定の間隔をあけ、かつ上下刃２０、２１同志が互いに対応して複数組の対を形成し、これら各対の上下刃２０、２１の周縁２２同志が互いに摺り合うように固定する。
【０００４】
【発明が解決しようとする課題】
しかし、上述の公知スリッターでは、隣接する二個の可動刃（下刃21、21) 間に、切りくずがはさまって蓄積され、やがてこれが下刃21による裁断操作を不能にしてしまう。
【０００５】
さらに、上述の公知スリッターでは、カッター１１によりカード用紙４を裁断するためにカード用紙４の搬送を一時停止したときに、スリッターが停止しないため、カード用紙４へのスリッター、すなわち、上下刃２０、２１あるいは上下搬送ローラ２３、２４による擦りを起こさせ、カード用紙４に傷をつけてしまう。
【０００６】
そこで、本発明の目的は隣接する二個の可動刃（下刃）間にはさまった切りくずをすき間から確実に落下させ、かつカッターによりカード用紙を裁断するためにカード用紙の搬送を一時停止したときでも、カード用紙へのスリッターによる擦りを起こさせず、上述の公知技術に存する欠点を排除したカード裁断機のスリッター機構を提供することにある。
【０００７】
【課題を解決するための手段】
上述の目的を達成するため、本発明によれば、カード用紙を複数枚、積層して保持するカード用紙保持箱と、この保持箱に保持されたカード用紙を頂部から一枚づつ送り出すピックアップローラと、該ピックアップローラによって送り出されたカード用紙を搬送する搬送ローラと、前記搬送ローラによって搬送されたカード用紙をカードの形状に裁断する裁断部とを備えてなるカード裁断機であって、前記裁断部がカード用紙を横方向に裁断するカッターと、その後に続く縦方向に裁断するスリッターとを有し、前記スリッターが互いに逆方向に回転する上刃軸および下刃軸を備え、前記上刃軸に複数個のディスク状上刃を、前記下刃軸に複数個のディスク状下刃を、これら各軸を回転軸として所定の間隔をあけ、かつ上下刃同志が互いに対応して複数組の対を形成し、これら各対の上下刃の周縁同志が互いに摺り合うように固定し、かつ、これら複数の対のうち、互いに隣接する二個の可動刃間には先端の尖った切りくず落し片を配置してなり、これにより前記隣接する二個の可動刃間にはさまった切りくずを切りくず落し片の尖った先端で筋づけして幅狭にし、飛散せずに、静かに、下方に落下させることを特徴とする。
【０００８】
本発明は上述のように、カードを横方向に裁断するカッターと、その後に続く縦方向に裁断するスリッターと有する。このとき、隣接する二個の可動刃間にはさまった切りくずは尖った先端で筋づけられて山型を形成し、幅狭となって飛散せずに静かに下方に落下する。
【０００９】
【発明の実施の形態】
以下、本発明を添付図面を用いて詳述する。
【００１０】
図１は本発明にかかるカード裁断機の一具体例を表した断面図であり、図２は図１のスリッター機構の平面図であり、図３は図１のスリッター機構の部分斜視図である。
【００１１】
まず、本発明にかかるカード裁断機について図１を用いて詳述する。図１中、１はカード用紙保持箱であって、本体２と、キャップ３とから構成され、この中にカード用紙４が複数枚積層して保持される。このカード用紙保持箱１は末端５がピックアップローラＡの下方に位置してカード用紙４の頂部６がピックアップローラＡに接触するようにカード裁断機Ｘに装着される。
【００１２】
ピックアップローラＡは矢印方向の回転による摩擦力により、接触する頂部６のカード用紙４を一枚づつカード裁断機Ｘの内部に送り出す円筒状のローラであって、プラスチック、硬質ゴム、軟質ゴム等の材料から製造される。
【００１３】
７は給紙ローラであって、矢印方向に回転され、ピックアップローラＡによって送り出された頂部６のカード用紙４をさらに後述の裁断部Ｙの方向に搬送して給紙する。
【００１４】
給紙ローラ７の下方には矢印方向に回転される重送防止ローラ８が配置され、ピックアップローラＡから誤って重送されてきたカード用紙４をチェックして重送を防止するものである。
【００１５】
９は第１の搬送ローラであって、上下に一対のローラからなり、それぞれ矢印方向に回転し、カード用紙４を上下に一対のローラ間に挟み込んでピックアップローラＡおよび給紙ローラ７によって送り出された頂部６のカード用紙４をさらに、後述の裁断部Ｙ方向に搬送する。
【００１６】
なお、本発明において、例えば名刺カードを作製するときのように余白を切り落とす場合には、第１の搬送ローラ９に加えて第２の搬送ローラ10を、これら両搬送ローラ９、10が後述するカッター11を挟むようにカッター11の入口部と出口部の両方に備えることが好ましい。しかし、はがきのように余白を切り落とす必要のない場合にはカッター11の入口部の第１の搬送ローラ９のみで充分である。
【００１７】
11は裁断部Ｙのカッターであって、上下一対の刃からなり、第１の搬送ローラ９によって搬送されたカード用紙４を一対のセンサ12ａ、12ｂの指示により横方向に裁断する。
【００１８】
カッター11によって横方向に裁断されたカード用紙４は、さらに第２の搬送ローラ10によって搬送され、一対のセンサ13ａ、13ｂの指示により裁断部Ｙのスリッター14によって縦方向に裁断され、所望の大きさのカードを製造する。なお、カッター11ならびにスリッター14の裁断によって生じた切りくずはくず箱15に収納される。図１中、16は主モータ、17はステップモータである。
【００１９】
スリッター１４は図２および図３において詳述されるように、互いに逆方向に回転する上刃軸１８および下刃軸１９を備える。上刃軸１８には複数個のデイスク状上刃２０が、下刃軸１９には複数個のデイスク状下刃２１が、これら各軸を回転軸として所定の間隔をあけ、かつ上下刃２０、２１同志が互いに対応して複数組の対を形成し、これら各対の上下刃２０、２１の周縁２２、２２同志が互いに摺り合うように固定される。２０ａ、２０ｂはそれぞれ固定刃２０の側面である。また、隣接する二組の上下刃を図２中、Ｚとして表す。
【００２０】
隣接する二組の上下刃Ｚをスリッター14に設ける理由はカード用紙４を縦方向に切ってカード形状に裁断する際、間隙25の幅をマージンとして切り落して精度の高い寸法のカードを形成するためである。
【００２１】
なお、上述のスリッター14は図２に示されるように、上側搬送ローラ23および下側搬送ローラ24を備えることもできる。
【００２２】
上側搬送ローラ23は上刃軸18の各上刃20、20間に、この上刃軸18を回転軸とし、かつ下側搬送ローラ24は下刃軸19の各下刃21、21間に、この下刃軸19を回転軸とし、それぞれ上下に対応する一対のローラ面が互いに接触するように固定して備えられる。
【００２３】
上述のスリッター14は次のようにして作動する。まず、歯車28、29を介して図示しない動力源から上刃軸18に駆動力を与えると、上刃軸18が回転する。この回転力を歯車30、31を介して下刃軸19にも付与すると、上下刃軸18、19は互いに反対方向に回転し、これにより、カード用紙４は上側搬送ローラ23と下側搬送ローラ24との間に挟まれながら搬送され、上下刃20、21によってカード形状に裁断される。このとき、間隙25にはカード用紙のマージンとして切られた切りくずが生じるが、これが都合よく間隙25から離れて落下しない場合が多く、間隙25に挟まって蓄積され、やがて裁断が不能となる。
【００２４】
本発明は隣接する二個の可動刃（下刃21、21) の間隙25に尖った先端26を有する切りくず落し片27を配置したことを特徴とする。
【００２５】
これにより、図３に示されるように、間隙25に挟まった切りくず32は切りくず落し片27の尖った先端26で筋づけられて山型33を形成し、この結果、切りくず32が幅狭となり、間隙25から確実に落下する。しかも、この場合、切りくず32は幅狭となって落下するのであるから、かき落し式とは異なり、飛散せずに、静かに、下方に落下する。
【００２６】
さらに、本発明は図２に示されるように、上刃軸１８ないしは下刃軸１９の駆動軸（例えば、上刃軸１８の駆動軸）に滑りクラッチ３４を嵌装し、駆動軸への駆動力を滑りクラッチ３４を介して伝達するようにしたことを特徴とする。
【００２７】
上述図１のカード裁断機Ｘでは、搬送されたカード用紙４を、まず、カッター１１により横方向に裁断する。このとき、カード用紙４は搬送を一時停止して静止状態で裁断される。しかし、カード用紙４が停止しても、スリッター１４では、駆動軸が停止しなければ上下刃軸１８、１９は回転を続け、このため、カード用紙４は上下刃２０、２１や上下側搬送ローラ２３、２４によって擦られて傷ついてしまう。
【００２８】
これを詳述すると、カード用紙４の搬送を一時停止したときに上下刃軸１８、１９が回転を続けても、カード用紙４は上下刃２０、２１間、あるいは上下側搬送ローラ２３、２４間に挾まったままで搬送されない。カード用紙４が停止したままで上下刃軸１８、１９のみが回転すると、カード用紙４は上下刃２０、２１、あるいは上下側搬送ローラ２３、２４に挾まっているのであるから、上下刃軸１８、１９の回転（すなわち、駆動軸の回転）に負荷がかかり、この回転が停止する。本発明では、駆動軸への駆動力はこの滑りクラッチ３４を介して伝達されるのであるから、駆動軸の回転が負荷により停止しても、滑りクラッチ３４が空回り回転を続ける。そしてカード用紙４の搬送停止が解除されると、再度、駆動力が滑りクラッチ３４を介して駆動軸に伝達され、駆動軸の回転が再開する。すなわち、滑りクラッチ３４はこの負荷を受け、それ自体空回りして上下刃軸１８、１９の回転を停止し、カード用紙４への刃やローラによる擦りを防止する。
【００２９】
【発明の効果】
以上のとおり、本発明にかかるカード裁断機のスリッター機構は隣接する刃間の間隙にはさまった切りくずを間隙から、飛散せずに確実に落下させ、かつカッターによりカード用紙を裁断するためにカード用紙の搬送を一時停止したときでも、カード用紙へのスリッター（上下刃や上下側搬送ローラ）による擦りを起こさせず、擦り傷のない、きれいなカードを製作することができる。
【図面の簡単な説明】
【図１】本発明にかかるカード裁断機の一具体例を表した断面図である。
【図２】図１のスリッター機構の平面図である。
【図３】図１のスリッター機構の部分斜視図である。
【符号の説明】
Ｘ  カード裁断機
Ｙ  裁断部
Ａ  ピックアップローラ
１  カード用紙保持箱
４  カード用紙
５  末端
６  頂部
９  第１の搬送ローラ
10  第２の搬送ローラ
11  カッター
14  スリッター
18  上刃軸
19  下刃軸
20  上刃（固定刃）
21  下刃（可動刃）
22  周縁
23  上側搬送ローラ
24  下側搬送ローラ
25  間隙
26  尖った先端
27  切りくず落し片
32  切りくず
33  山型
34  滑りクラッチ
Ｚ  隣接する二組の上下刃
【図１】
0003691609.tif 000002
【図２】
0003691609.tif 000003
【図３】
0003691609.tif 000004